(57)【要約】【課題】紙おむつにインナーパッドを確実に装着して人体への装着時にインナーパッドのずれを防止することができる吸収性物品を提供する。【解決手段】着用時に人体の腹側に位置する腹側部Ｆ及び背側に位置する背側部Ｂを有するバックシート１とを備える吸収性物品において、吸収性本体２の幅方向の両端部にそれぞれ一端部が固定されると共に、内側に折り返されることで立ち上がり部ＰＧを形成し、長手方向に延在するギャザー部ＧＧと、ギャザー部ＧＧと連続し、腹側部Ｆ及び背側部Ｂであってギャザー部ＧＧに挟まれる領域から腹側部Ｆ及び背側部Ｂの幅方向両端に向かってそれぞれ延出する延出領域Ｒ１、Ｒ２を覆うように設けられ、腹側部Ｆ及び背側部Ｂの外縁部分に接着されたポケット形成部ＧＰとを備え、ギャザー部ＧＧの立ち上がり部ＰＧにギャザー部ＧＧの長手方向に沿って切断が容易な切断容易部ＳＰが形成される。【選択図】図４
2015009020.tif 000002
【特許請求の範囲】
【請求項１】
吸収体を含む吸収性本体と、前記吸収性本体の外面側に設けられ、着用時に人体の腹側に位置する腹側部及び背側に位置する背側部を有するバックシートと、を備える吸収性物品において、
前記吸収性本体の幅方向の両端部にそれぞれ一端部が固定されるとともに、内側に折り返されることで立ち上がり部を形成し、長手方向に延在するギャザー部と、
前記ギャザー部と連続し、前記腹側部及び前記背側部であって前記ギャザー部に挟まれる領域から前記腹側部及び前記背側部の前記幅方向両端に向かってそれぞれ延出する延出領域を覆うように設けられ、前記腹側部及び前記背側部の外縁部分に接着されたポケット形成部と、を備え、
前記ギャザー部の前記立ち上がり部に前記ギャザー部の長手方向に沿って切断が容易な切断容易部が形成されることを特徴とする吸収性物品。
【請求項２】
前記ポケット形成部を構成する不織布シートは、前記ギャザー部を構成するギャザーシートに接着されることを特徴とする請求項１に記載の吸収性物品。
【請求項３】
前記ポケット形成部は、透液性であることを特徴とする請求項２に記載の吸収性物品。
【請求項４】
前記ギャザー部の長手方向の長さが、前記バックシートの長手方向の長さと同じであることを特徴とする請求項１〜３のいずれか一項に記載の吸収性物品。
【請求項５】
前記ポケット形成部の端部が前記バックシートの外面側に折り曲げられて前記バックシートの外面と接着されることを特徴とする請求項１〜４のいずれか一項に記載の吸収性物品。
【請求項６】
装着した前記インナーパッドを係合する係合手段を備えたことを特徴とする請求項１〜５のいずれか一項に記載の吸収性物品。
【発明の詳細な説明】
【技術分野】
【０００１】
本発明は、吸収性物品に関する。
【背景技術】
【０００２】
従来、紙おむつとして、テープ式のものやパンツタイプもの（以下、単に紙おむつという。）が知られている。このような紙おむつを夜間等の長時間使用する場合、尿漏れを防止するために、紙おむつの立体ギャザーの間にインナーパッドを装着して使用することがある。
【０００３】
インナーパッド、特に、夜用のインナーパッドは、形状が大きく、股間部分以外の前後部分（長手方向の両端部分）の幅が広いため、紙おむつの立体ギャザーの間に収まりきらず、紙おむつとインナーパッドとの間に隙間が生じ、紙おむつの人体への装着時にインナーパッドがずれてしまい、尿漏れの原因となってしまう。
【０００４】
このため、立体ギャザーのトップシートへの接着範囲を、装着するインナーパッドの幅に応じて変化させて、インナーパッドが挿入可能なポケットを形成した立体ギャザーを備えたテープ式の紙おむつが開示されている（例えば、特許文献１参照）。
【先行技術文献】
【特許文献】
【０００５】
【特許文献１】特開２００５−１６０８４３号公報
【発明の概要】
【発明が解決しようとする課題】
【０００６】
しかしながら、上記特許文献１の場合、立体ギャザーとトップシートとを接着することにより、形成されるインナーパッドが挿入可能なポケットの内容積は狭くなってしまい、例えば、形状の大きい夜用のインナーパッドを当該ポケットにうまく収納できないといった問題点があった。
また、例えば、股間部分とそれ以外の前後部分の幅が同じストレート形状のインナーパッドを紙おむつに装着する場合、ストレート形状のインナーパッドが不用意にポケットに入り込んでしまい、結果として、ストレート形状のインナーパッドがずれてしまうといった問題点があった。
【０００７】
本発明の課題は、紙おむつにインナーパッドを確実に装着して人体への装着時にインナーパッドのずれを防止することができる吸収性物品を提供することにある。
【課題を解決するための手段】
【０００８】
前記課題を解決するために、請求項１記載の発明は、
吸収体を含む吸収性本体と、前記吸収性本体の外面側に設けられ、着用時に人体の腹側に位置する腹側部及び背側に位置する背側部を有するバックシートと、を備える吸収性物品において、
前記吸収性本体の幅方向の両端部にそれぞれ一端部が固定されるとともに、内側に折り返されることで立ち上がり部を形成し、長手方向に延在するギャザー部と、
前記ギャザー部と連続し、前記腹側部及び前記背側部であって前記ギャザー部に挟まれる領域から前記腹側部及び前記背側部の前記幅方向両端に向かってそれぞれ延出する延出領域を覆うように設けられ、前記腹側部及び前記背側部の外縁部分に接着されたポケット形成部と、を備え、
前記ギャザー部の前記立ち上がり部に前記ギャザー部の長手方向に沿って切断が容易な切断容易部が形成されることを特徴とする。
【０００９】
請求項２記載の発明は、請求項１に記載の吸収性物品において、前記ポケット形成部を構成する不織布シートは、前記ギャザー部を構成するギャザーシートに接着されることを特徴とする。
【００１０】
請求項３記載の発明は、請求項２に記載の吸収性物品において、前記ポケット形成部は、透液性であることを特徴とする。
【００１１】
請求項４記載の発明は、請求項１〜３のいずれか一項に記載の吸収性物品において、前記ギャザー部の長手方向の長さが、前記バックシートの長手方向の長さと同じであることを特徴とする。
【００１２】
請求項５記載の発明は、請求項１〜４のいずれか一項に記載の吸収性物品において、前記ポケット形成部の端部が前記バックシートの外面側に折り曲げられて前記バックシートの外面と接着されることを特徴とする。
【００１３】
請求項６記載の発明は、請求項１〜５のいずれか一項に記載の吸収性物品において、
装着した前記インナーパッドを係合する係合手段を備えたことを特徴とする。
【発明の効果】
【００１４】
本発明によれば、吸収性本体の幅方向の両端部にそれぞれ一端部が固定されるとともに、内側に折り返されることで立ち上がり部を形成し、長手方向に延在するギャザー部と、ギャザー部と連続し、腹側部及び背側部であって前記ギャザー部に挟まれる領域から腹側部及び背側部の幅方向両端に向かってそれぞれ延出する延出領域を覆うように設けられ、腹側部及び背側部の外縁部分に接着されたポケット形成部と、を備え、ギャザー部の立ち上がり部にギャザー部の長手方向に沿って切断が容易な切断容易部が形成されることにより、装着するインナーパッドの幅に応じて、適宜、インナーパッドが挿入可能なポケットを形成するか否かを選択できることとなって、紙おむつにインナーパッドを確実に装着することができ、人体への装着時にインナーパッドのずれを防止することができる。
【図面の簡単な説明】
【００１５】
【図１】第１実施形態におけるパンツタイプの紙おむつを示す斜視図である。
【図２】第１実施形態における紙おむつの展開図である。
【図３】図２のIII−III線における断面図である。
【図４】インナーパッドを挿入可能なポケット形成時の一例を示す断面図である。
【図５】インナーパッド装着時の一例を示す断面図である。
【図６】第２実施形態における紙おむつの展開図である。
【図７】図７のVII−VII線における断面図である。
【図８】インナーパッドを挿入可能なポケット形成時の一例を示す断面図である。
【図９】インナーパッド装着時の一例を示す断面図である。
【図１０】変形例１の紙おむつの展開図である。
【図１１】第３実施形態におけるテープ式の紙おむつの展開図である。
【図１２】図２のIII−III線における他の一例を示す断面図である。
【図１３】図２のIII−III線における他の一例を示す断面図である。
【発明を実施するための形態】
【００１６】
以下、図面を参照しつつ、本発明の実施形態である吸収性物品を詳細に説明する。但し、発明の範囲は、図示例に限定されない。
【００１７】
（第１実施形態）
本発明の実施形態の吸収性物品について、図１から図３に基づいて説明する。
図１は第１実施形態におけるパンツタイプの紙おむつを示す斜視図である。図２は第１実施形態における紙おむつの内面側（装着時における内部側）の展開図である。図３は図２のIII−III線における断面図である。
【００１８】
図１に示すように、パンツタイプの紙おむつ１００（以下、紙おむつ１００と呼ぶ。）は、着用時に人体の腹側に位置する腹側部Ｆ及び背側に位置する背側部Ｂと、腹側部Ｆから背側部Ｂにかけて延在して設けられ着用時に人体の股間に位置する股間部Ｍと、を有するバックシート１と、バックシート１の内面に設けられた吸収性本体２とを備えている。
紙おむつ１００は、バックシート１の腹側部Ｆと背側部Ｂとが幅方向の両側端の接合端部Ｊにおいて接合されたことにより形成される腰周り開口部Ｗと、左右一対の脚周り開口部Ｌとを有している。
【００１９】
バックシート１は、不織布からなる不透液性の外面シート１Ａと内面シート１Ｂとにより構成されており、吸収性本体２の裏面側（装着時における外部側）を覆う形状に形成されている。
外面シート１Ａ、内面シート１Ｂ、後述するトップシート４、ギャザーシート５、不織布シート６及び不織布シート７等に用いる不織布の素材としては、天然繊維、合成繊維のいずれを用いてもよい。天然繊維の例としては、綿、セルロース（木材パルプ）、羊毛、絹等が挙げられる。また合成繊維としては、ポリプロピレン（ＰＰ）、ポリエチレン（ＰＥ）、ナイロン、ポリエステル（ＰＥＴ）、アクリル等が挙げられ、またＰＥ／ＰＰ混合不織布、ＰＥ／ＰＥＴ混合不織布、また、上記素材を適宜組み合わせたバイコンポーネント繊維（混合繊維）も用いることができる。
【００２０】
また、これらの繊維素材から不織布を製造する方法としては、公知の方法を適宜用いることができ、例えば、ケミカルボンド、サーマルボンド、スパンレース等のいずれの方法を用いてもよい。また合成繊維素材等では、スパンボンド法、メルトブロー法、またこれらと上記の接着方法を組み合わせるなど、いずれの方法を用いて製造してもよい。
【００２１】
そして、バックシート１の腹側部Ｆの幅方向両端と背側部Ｂの幅方向両端とを固着して人体の脇側に位置する接合端部Ｊを形成することによって、紙おむつ１００がパンツ型の形状に成形されるようになっている。
このバックシート１における外面シート１Ａと内面シート１Ｂとの間には、弾性部材としての複数本の糸ゴム３が挟み込まれ固着されて備えられている。糸ゴム３は、バックシート１における腰周り開口部Ｗと左右一対の脚周り開口部Ｌに相当する部分に設けられており、紙おむつ１００の使用時に、この糸ゴム３によって人体の腰周り及び脚周りで紙おむつ１００が伸縮するように構成されている。
【００２２】
吸収性本体２は、例えば、紙おむつ１００の使用時に体液としての尿等の水様成分を吸収するものであり、綿やパルプ等の吸収性素材や、繊維或いはフィルム等のシート状基材と高吸水性樹脂（ＳＡＰ；Super Absorbent Polymer）とが組み合わされて形成された吸収体２０と、この吸収体２０を包み込む透液性のクレープ紙２１と、吸収体２０の裏面側を覆う防水フィルム２２と、吸収体２０の表面側（人体側）を覆うトップシート４等により構成されている。
なお、吸収性本体２の防水フィルム２２側を、バックシート１の内面に接着するなどして、バックシート１に吸収性本体２を固定している。
【００２３】
トップシート４は、着用時に人体に当接する面に位置し、例えば、透液性を有する不織布からなる。
クレープ紙２１は透液性のシートであって、吸収体２０を全体的に包装しており、トップシート４を透過した体液を吸収体２０に効率的に吸収させる機能を有する。
防水フィルム２２は、遮水性を有し、吸収体２０側からバックシート１側に水様分が漏れることを防止する機能を有する。
【００２４】
この吸収性本体２は、バックシート１の腹側部Ｆから股間部Ｍを通って背側部Ｂ側に亘る長さに形成されており、バックシート１の内面に設けられている。
また、吸収性本体２の幅方向両側端には、吸収性本体２の長手方向に延在し、紙おむつ１００におけるトップシート４側に立設するギャザーシート５、５が備えられている。
【００２５】
ギャザーシート５、５は、不透液性の不織布のシートを二つ折りにし、折り合わされた面を、例えば、ホットメルトや、ヒートシール、超音波シール等により固着させることにより形成されている。
【００２６】
ここで、図３に示すように、この不織布のシートを二つ折りにした折り返し部分側の端部を自由端部ＦＧ、立体的な立ち上がりの起点を立ち上がり部ＰＧ、バックシート１側に固定される端部を固定端部ＢＧとする。その固定端部ＢＧが、トップシート４と外面シート１Ｂとの間に挟まれるように固着されることにより、ギャザーシート５が吸収性本体２に固定されている。そして、その不織布シートが折り合わされた面間に、複数本の糸ゴム３が挟み込まれ固着されて備えられている。
このギャザーシート５が紙おむつ１００に固着されて備えられた状態において、その自由端部ＦＧがトップシート４側に起立することにより立体ギャザーとなる。そして、この糸ゴム３によりギャザーシート５は、人体に合わせて伸縮自在に変形し、人体にフィットしやすい構造となっている。
【００２７】
そして、図２及び図３に示すように、バックシート１の内面シート１Ｂ側であって、腹側部Ｆであってギャザーシート５、５に挟まれる領域から腹側部Ｆの幅方向両端に向かって延出する延出領域Ｒ１を覆うように不織布シート６が設けられ、当該不織布シート６は、バックシート１の外縁部分の接着端部Ｊ１でバックシート１の内面シート１Ｂに接着される。また、ギャザーシート５と不織布シート６とが重なる接着部分Ｊ２で、不織布シート６はギャザーシート５に接着され、接着部分Ｊ２のギャザーシート５の立ち上がり部ＰＧには長手方向に沿って切断容易部であるミシン目ＳＰが形成される。
【００２８】
同様に、バックシート１の内面シート１Ｂ側であって、背側部Ｂであってギャザーシート５、５に挟まれる領域から背側部Ｂの幅方向両端に向かってそれぞれ延出する延出領域Ｒ２を覆うように不織布シート７が設けられ、当該不織布シート７は、バックシート１の外縁部分の接着端部Ｊ３でバックシート１の内面シート１Ｂに接着される。また、ギャザーシート５と不織布シート７とが重なる接着部分Ｊ４で、不織布シート７はギャザーシート５に接着され、接着部分Ｊ４のギャザーシート５の立ち上がり部ＰＧには長手方向に沿って切断容易部であるミシン目ＳＰが形成される。
ここで、切断容易部であるミシン目ＳＰとは、一般的に、切り離しやすいように、ギャザーシート５に入れた連続した複数の小穴であって、当該小穴は、直線状、曲線状、点状、Ｙ字型等の形状を有するものである。
【００２９】
さらに、不織布シート６は、腰周り開口部Ｗを構成するバックシート１の長手方向の接着端部Ｊ５で、バックシート１の内面シート１Ｂに接着され、不織布シート７は、腰周り開口部Ｗを構成するバックシート１の長手方向の接着端部Ｊ６で、バックシート１の内面シート１Ｂに接着される。
【００３０】
次に、この紙おむつ１００へのインナーパッドの装着手順等について図４及び図５を用いて説明する。例えば、形状の大きい夜用のインナーパッドを装着する手順について説明する。
なお、図４及び図５は、図２のIII−III線における断面図であり、基本的に紙おむつ１００へのインナーパッドの装着手順等については、バックシート１の背側部Ｂの接着部分Ｊ４に関しても同じであるので、バックシート１の腹側部Ｆの接着部分Ｊ２に関して説明し、必要に応じてバックシート１の背側部Ｂの接着部分Ｊ４に関する説明を補足する。
【００３１】
図５に示す夜用のインナーパッド８は、形状が大きく、股間部分以外の前後部分（長手方向の両端部分）の幅が広いため、前述の通り、バックシート１の腹側部Ｆ及び背側部Ｂにおける、ギャザーシート５の幅には収まりきらない。
このため、インナーパッド８の装着に際して、バックシート１の腹側部Ｆの接着部分Ｊ２、及び、バックシート１の背側部Ｂの接着部分Ｊ４のギャザーシート５の立ち上がり部ＰＧに形成されているミシン目ＳＰ部分を切って、ギャザーシート５の自由端部ＦＧと固定端部ＢＧとを分離する。
【００３２】
ギャザーシート５の自由端部ＦＧと固定端部ＢＧとを分離した場合、図４に示すように、バックシート１の腹側部Ｆの接着部分Ｊ２には、開口部ＡＰが形成されることになり、バックシート１の内面シート１Ｂと不織布シート６とで囲まれたインナーパッドが挿入可能なポケットＰＣが形成されることになる。
【００３３】
そして、図５に示すように、バックシート１の腹側部Ｆの接着部分Ｊ２に形成された開口部ＡＰからインナーパッド８をポケットＰＣに挿入して収納することで、形状が大きく、股間部分以外の前後部分（長手方向の両端部分）の幅が広い夜用のインナーパッド８であっても装着することができる。
【００３４】
すなわち、図５において、従来であれば、ギャザーシート５の間隔である幅Ｗ１程度のインナーパッドしか装着できなかったのに対して、本発明の実施形態では、幅Ｗ１よりも広い幅Ｗ２の夜用のインナーパッド８を装着することができる。
【００３５】
ちなみに、股間部分とそれ以外の前後部分の幅が同じストレート形状のインナーパッドを紙おむつに装着する場合には、バックシート１の腹側部Ｆの接着部分Ｊ２、及び、バックシート１の背側部Ｂの接着部分Ｊ４のギャザーシート５の立ち上がり部ＰＧに形成されているミシン目ＳＰ部分を切って、ギャザーシート５の自由端部ＦＧと固定端部ＢＧとを分離することなく、図３に示す状態で、ストレート形状のインナーパッドを装着すればよい。
【００３６】
すなわち、ストレート形状のインナーパッドを装着する場合には、バックシート１の腹側部Ｆの接着部分Ｊ２、及び、バックシート１の背側部Ｂの接着部分Ｊ４にポケットＰＣを形成しないことにより、ストレート形状のインナーパッドが不用意にポケットに入り込んでしまい、ストレート形状のインナーパッドがずれてしまうことを防止できる。
【００３７】
言い換えれば、本発明の第１実施形態では、装着するインナーパッドの幅に応じて、適宜、インナーパッドが挿入可能なポケットＰＣを形成するか否かを選択できるので、装着するインナーパッドの幅に応じて、紙おむつにインナーパッドを確実に装着することができる。
【００３８】
以上のように、本発明の第１実施形態では、バックシート１の内面シート１Ｂ側であって、腹側部Ｆ及び背側部Ｂであってギャザーシート５に挟まれる領域から腹側部Ｆ及び背側部Ｂの幅方向両端に向かってそれぞれ延出する延出領域Ｒ１、Ｒ２を覆うように不織布シート６、７を設け、バックシート１の外縁部分の接着端部Ｊ１、Ｊ３、Ｊ５、Ｊ６でバックシート１の内面シート１Ｂに接着させると共に、ギャザーシート５と不織布シート６、７とが重なる接着部分Ｊ２、Ｊ４で、不織布シート６、７をギャザーシート５に接着し、接着部分Ｊ２、Ｊ４のギャザーシート５の立ち上がり部ＰＧに長手方向に沿って切断容易部であるミシン目ＳＰを形成することにより、装着するインナーパッドの幅に応じて、適宜、インナーパッドが挿入可能なポケットＰＣを形成するか否かを選択できるので、装着するインナーパッドの幅に応じて、紙おむつにインナーパッドを確実に装着することができ、人体への装着時にインナーパッドのずれを防止することができる。
【００３９】
（第２実施形態）
第１実施形態では、ギャザーシート５と、ギャザーシート５と別部材である不織布シート６、７とで囲まれたインナーパッドが挿入可能なポケットＰＣを形成しているが、第２実施形態では、ギャザーシート１１で２つの部材を一体形成している。
ここで、第２実施形態について図６から図９を用いて説明する。但し、第１実施形態と同じ内容説明に関しては、説明を適宜省略する。
【００４０】
図６の展開図に示すように、第１実施形態におけるギャザーシート５と、不織布シート６、７とを一体化したギャザーシート１１は、バックシート１の内面シート１Ｂ側であって、腹側部Ｆであってギャザーシート１１、１１に挟まれる領域から腹側部Ｆの幅方向両端に向かって延出する延出領域Ｒ１を覆うように延出し、当該ギャザーシート１１、１１は、バックシート１の外縁部分の接着端部Ｊ１でバックシート１の内面シート１Ｂに接着される。また、形成部分ＰＴ１のギャザーシート１１の立ち上がり部ＰＧには長手方向に沿って切断容易部であるミシン目ＳＰが形成される。
【００４１】
同様に、ギャザーシート１１は、バックシート１の内面シート１Ｂ側であって、背側部Ｂであってギャザーシート１１、１１に挟まれる領域から背側部Ｂの幅方向両端に向かってそれぞれ延出する延出領域Ｒ２を覆うように延出し、当該ギャザーシート１１、１１は、バックシート１の外縁部分の接着端部Ｊ３でバックシート１の内面シート１Ｂに接着される。また、形成部分ＰＴ２のギャザーシート１１の立ち上がり部ＰＧには長手方向に沿って切断容易部であるミシン目ＳＰが形成される。
【００４２】
また、図７は、図６のVII−VII線における断面図であり、図７に示すように、この不織布からなるシートを二つ折りにした折り返し部分側の端部を自由端部ＦＧ、立体的な立ち上がりの起点を立ち上がり部ＰＧ、バックシート１側に固定される端部を第１の固定端部ＢＧ１、第２の固定端部ＢＧ２とする。その第１の固定端部ＢＧ１が、トップシート４と外面シート１Ｂとの間に挟まれるように固着されることにより、ギャザーシート１１が吸収性本体２に固定されている。そして、その不織布シートが自由端部ＦＧの部分で折り合わされた面間に、複数本の糸ゴム３が挟み込まれ固着されて備えられている。
さらに、第２の固定端部ＢＧ２が、バックシート１の外縁部分の接着端部Ｊ１でバックシート１の内面シート１Ｂに接着されるとともに、ギャザーシート１１の立ち上がり部ＰＧには長手方向に沿って切断容易部であるミシン目ＳＰが形成される。
このギャザーシート１１が紙おむつ１００に固着されて備えられた状態において、その自由端部ＦＧがトップシート４側に起立することにより立体ギャザーとなる。そして、この糸ゴム３によりギャザーシート１１は、人体に合わせて伸縮自在に変形し、人体にフィットしやすい構造となっている。
【００４３】
さらに、ギャザーシート１１は、第１実施形態における不織布シート６、７と同様に、バックシート１の長手方向の接着端部Ｊ５及びＪ６で、バックシート１の内面シート１Ｂに接着される。
また、ギャザーシート１１は、自由端部ＦＧの先端部を境界として、第１の固定端部ＢＧ１側がギャザー部ＧＧ、第２の固定端部ＢＧ２側がポケット形成部ＧＰとして機能する。
【００４４】
次に、この紙おむつ１００へのインナーパッドの装着手順等について図８及び図９を用いて説明する。例えば、形状の大きい夜用のインナーパッドを装着する手順について説明する。
なお、図８及び図９は、図６のVII−VII線における断面図であり、基本的に紙おむつ１００へのインナーパッドの装着手順等については、第１実施形態と同じであるので、必要に応じて説明を補足する。
【００４５】
図９に示す夜用のインナーパッド８は、形状が大きく、股間部分以外の前後部分（長手方向の両端部分）の幅が広いため、前述の通り、バックシート１の腹側部Ｆ及び背側部Ｂにおける、ギャザーシート１１の幅には収まりきらない。
このため、インナーパッド８の装着に際して、バックシート１の腹側部Ｆであっての形成部分ＰＴ１、及び、バックシート１の背側部Ｂの形成部分ＰＴ２のギャザーシート１１の立ち上がり部ＰＧに形成されているミシン目ＳＰ部分を切って、ギャザーシート１１の自由端部ＦＧと固定端部ＢＧとを分離する。
【００４６】
ギャザーシート１１の自由端部ＦＧと固定端部ＢＧとを分離とを分離した場合、図８に示すように、バックシート１の腹側部Ｆの形成部分ＰＴ１には、開口部ＡＰが形成されることになり、バックシート１の内面シート１Ｂとギャザーシート１１とで囲まれたインナーパッドが挿入可能なポケットＰＣが形成されることになる。
【００４７】
そして、図９に示すように、バックシート１の腹側部Ｆの形成部分ＰＴ１に形成された開口部ＡＰからインナーパッド８をポケットＰＣに挿入して収納することで、形状が大きく、股間部分以外の前後部分（長手方向の両端部分）の幅が広い夜用のインナーパッド８であっても装着することができる。
【００４８】
すなわち、図９において、従来であれば、ギャザーシート１１の間隔である幅Ｗ１程度のインナーパッドしか装着できなかったのに対して、本発明の実施形態では、幅Ｗ１よりも広い幅Ｗ２の夜用のインナーパッド８を装着することができる。
【００４９】
ちなみに、股間部分とそれ以外の前後部分の幅が同じストレート形状のインナーパッドを紙おむつに装着する場合には、バックシート１の腹側部Ｆの形成部分ＰＴ１、及び、バックシート１の背側部Ｂの形成部分ＰＴ２のギャザーシート１１の立ち上がり部ＰＧに形成されているミシン目ＳＰ部分を切って、ギャザーシート１１の自由端部ＦＧと固定端部ＢＧとを分離することなく、図６に示す状態で、ストレート形状のインナーパッドを装着すればよい。
【００５０】
すなわち、ストレート形状のインナーパッドを装着する場合には、バックシート１の腹側部Ｆの形成部分ＰＴ１、及び、バックシート１の背側部Ｂの形成部分ＰＴ２にポケットＰＣを形成しないことにより、ストレート形状のインナーパッドが不用意にポケットに入り込んでしまい、ストレート形状のインナーパッドがずれてしまうことを防止できる。
【００５１】
言い換えれば、本発明の実施形態では、装着するインナーパッドの幅に応じて、適宜、インナーパッドが挿入可能なポケットＰＣを形成するか否かを選択できるので、装着するインナーパッドの幅に応じて、紙おむつにインナーパッドを確実に装着することができる。
【００５２】
以上のように、本発明の第２実施形態では、吸収性本体２の幅方向の両端部に固定され、長手方向に延在するギャザー部ＧＧと、腹側部Ｆ及び背側部Ｂであってギャザー部ＧＧに挟まれる領域から腹側部Ｆ及び背側部Ｂの幅方向両端に向かってそれぞれ延出する延出領域を覆うように設けられ、腹側部Ｆ及び背側部Ｂの外縁部分に接着されたポケット形成部ＧＰとが一体形成され、ギャザー部ＧＧの立ち上がり部ＰＧにギャザー部ＧＧの長手方向に沿って切断が容易な切断容易部が形成することにより、装着するインナーパッドの幅に応じて、適宜、インナーパッドが挿入可能なポケットＰＣを形成するか否かを選択できるので、装着するインナーパッドの幅に応じて、紙おむつにインナーパッドを確実に装着することができ、人体への装着時にインナーパッドのずれを防止することができる。
【００５３】
（変形例１）
本発明の第１及び第２実施形態の変形例１について、図１０に基づいて説明する。図１０は紙おむつの内面側（装着時における内部側）の展開図である。
図１０においては、基本的に図２等と同じ構成であり、異なる点は、ギャザーシート９及び吸収性本体２の長手方向の長さが、バックシート１の長手方向の長さと同じ点である。
【００５４】
また、図２等と同様に、ギャザーシート９と不織布シート６とが重なる接着部分Ｊ７で、不織布シート６はギャザーシート９に接着され、接着部分Ｊ７のギャザーシート９の立ち上がり部ＰＧには長手方向に沿ってミシン目が形成される。そして、ギャザーシート９と不織布シート７とが重なる接着部分Ｊ８で、不織布シート７はギャザーシート９に接着され、接着部分Ｊ８のギャザーシート９の立ち上がり部には長手方向に沿ってミシン目が形成される。
【００５５】
本発明の第１及び第２実施形態では、形成されるギャザーシート５の長手方向の長さＬ１は、バックシート１の長手方向の長さよりも短いので、装着されるインナーパッドの長手方向の長さがＬ１よりも長いと、インナーパッド装着時の安定性が悪化するが、本発明の実施形態の変形例１では、ギャザーシート９の長手方向の長さが、バックシート１の長手方向の長さと同じなので、装着されるインナーパッドの長手方向の長さを、バックシート１の長手方向の長さと同じにしても安定して装着することができる。
【００５６】
以上のように、変形例１によれば、ギャザーシート９の長手方向の長さを、バックシート１の長手方向の長さと同じにすることにより、装着されるインナーパッドの長方向の長さを、バックシート１の長手方向の長さと同じにすることができる。
【００５７】
（第３実施形態）
第１及び第２実施形態は、パンツタイプの紙おむつであったが、第３実施形態ではテープ式の紙おむつ２００である。図１１は、第３実施形態におけるテープ式の紙おむつの展開図である。
ここで、第３実施形態について図１１を用いて説明する。但し、第１及び第２実施形態と同じ内容説明に関しては、説明を適宜省略する。
【００５８】
図１１に示すように、テープ式の紙おむつ２００もまた、着用時に人体の腹側に位置する腹側部Ｆ及び背側に位置する背側部Ｂと、腹側部Ｆから背側部Ｂにかけて延在して設けられ着用時に人体の股間に位置する股間部Ｍと、を有するバックシートと、トップシートとバックシートとの間に吸収体が介装され、トップシートにはギャザーシート５が備えられている。
テープ式の紙おむつ２００は、人体の股間に股間部Ｍをあてがうとともに、人体の腹側及び背側に、背側部Ｂ及び腹側部Ｆとあてがった状態で、背側部Ｂに設けられた止着部であるテープＴＰで、背側部Ｂと腹側部Ｆとを止着することにより、確実に人体に着用される。
【００５９】
そして、第１実施形態のように、腹側部Ｆ及び背側部Ｂであってギャザーシート５に挟まれる領域から腹側部Ｆ及び背側部Ｂの幅方向両端に向かってそれぞれ延出する延出領域Ｒ１、Ｒ２を覆うように不織布シート６、７を設け、外縁部分の接着端部Ｊ１、Ｊ３、Ｊ５、Ｊ６で接着させると共に、ギャザーシート５と不織布シート６、７とが重なる接着部分Ｊ２、Ｊ４で、不織布シート６、７をギャザーシート５に接着し、接着部分Ｊ２、Ｊ４のギャザーシート５の立ち上がり部ＰＧに長手方向に沿って切断容易部であるミシン目ＳＰを形成することにより、装着するインナーパッドの幅に応じて、適宜、インナーパッドが挿入可能なポケットＰＣを形成するか否かを選択できるので、装着するインナーパッドの幅に応じて、紙おむつにインナーパッドを確実に装着することができ、人体への装着時にインナーパッドのずれを防止することができる。
【００６０】
また、第２実施形態のように、吸収性本体２の幅方向の両端部に固定され、長手方向に延在するギャザー部ＧＧと、腹側部Ｆ及び背側部Ｂであってギャザー部ＧＧに挟まれる領域から腹側部Ｆ及び背側部Ｂの幅方向両端に向かってそれぞれ延出する延出領域を覆うように設けられ、腹側部Ｆ及び背側部Ｂの外縁部分に接着されたポケット形成部ＧＰとが一体形成され、ギャザー部ＧＧの立ち上がり部ＰＧにギャザー部ＧＧの長手方向に沿って切断が容易な切断容易部が形成することにより、装着するインナーパッドの幅に応じて、適宜、インナーパッドが挿入可能なポケットＰＣを形成するか否かを選択できるので、装着するインナーパッドの幅に応じて、紙おむつにインナーパッドを確実に装着することができ、人体への装着時にインナーパッドのずれを防止することができる。
【００６１】
なお、本発明の第１実施形態の説明に際しては、不織布シート６は、接着端部Ｊ１、Ｊ５で、バックシート１の内面シート１Ｂに接着され、不織布シート７は、接着端部Ｊ３、Ｊ６で、バックシート１の内面シート１Ｂに接着される旨説明しているが、単純に不織布シート６、７とバックシート１の内面シート１Ｂと接着するのではなく、例えば、図１２に示すように、不織布シート６、７の端部をバックシート１の外面シート１Ａ側に折り曲げられて接着するものであっても構わない。また、本発明の第２実施形態におけるギャザーシート１１に関しても、不織布シート６、７と同様に、ギャザーシート１１をバックシート１の外面シート１Ａ側に折り曲げて接着しても構わない。
【００６２】
この場合には、図１２に示すように、接着端部Ｊ１、Ｊ５若しくは接着端部Ｊ３、Ｊ６の接着部分の幅が不要になり、紙おむつ１００の外縁部分の際までポケットＰＣを形成できるので、バックシート１の内面シート１Ｂと不織布シート６、７とで囲まれたインナーパッドが挿入可能なポケットＰＣの内容積をより広くすることができ、例えば、図６における幅Ｗ２のインナーパッド８より、さらに幅の広いインナーパッド１０を装着することができる。また、本発明の第２実施形態におけるギャザーシート１１とバックシート１の内面シート１Ｂとで囲まれたインナーパッドが挿入可能なポケットＰＣの内容積もより広くすることができる。
【００６３】
また、図４及び図５における紙おむつ１００へのインナーパッドの装着手順等の説明に際しては、バックシート１の腹側部Ｆの接着部分Ｊ２、及び、バックシート１の背側部Ｂの接着部分Ｊ４のギャザーシート５の立ち上がり部ＰＧに形成されているミシン目ＳＰ部分を切って、ギャザーシート５の自由端部ＦＧと固定端部ＢＧとを分離することにより、ポケットＰＣを形成する旨説明しているが、初めから、各接着部分のギャザーシート５の立ち上がり部ＰＧを切断して、ギャザーシート５の自由端部ＦＧと固定端部ＢＧとが分離した状態であっても構わない。また、本発明の第２実施形態におけるギャザーシート１１に関しても、初めから、各形成部分のギャザーシート１１の立ち上がり部ＰＧに形成されているミシン目ＳＰ部分を切って、ギャザーシート１１の自由端部ＦＧと固定端部ＢＧとが分離した状態であっても構わない。
【００６４】
この場合には、ストレート形状のインナーパッドを紙おむつに装着する場合には対応できないものの、形状が大きく、股間部分以外の前後部分（長手方向の両端部分）の幅が広い夜用のインナーパッドについては、紙おむつにインナーパッドを確実に装着することができ、人体への装着時にインナーパッドのずれを防止することができる。
【００６５】
また、例えば、図１３に示すように、メカニカルテープ等の機械的な係合手段ＭＴを設け、紙おむつ１００にインナーパッド８を装着した後に、当該係合手段ＭＴで紙おむつ１００にインナーパッド８を係合することにより、紙おむつ１００にインナーパッ８を確実に装着することができ、人体への装着時にインナーパッド８のずれを防止することができる。
【００６６】
また、不織布シート６、７としては、ギャザーシート５とは別部材であるので、透液性の素材を用いることも可能である。この場合、インナーパッドが挿入されているポケットＰＣの内面側（装着時における内部側）は透液性の不織布シート６、７となるため、バックシート１の腹側部Ｆ及び背側部Ｂに回った尿は、透液性の不織布シート６、７を透過してポケットＰＣに収納されたインナーパッドに吸収されることになるので、尿漏れを防止することができる。
【００６７】
また、第１及び第２実施形態の説明に際しては、トップシート４が、吸収体２０のみを覆うように形成される旨説明しているが、勿論、単純に、トップシート４とバックシート１を同一形状（装着時に人体の腹側に位置する腹側部Ｆと、背側に位置する背側部Ｂと、股間に位置する股間部Ｍを有する形状）として外周部で、バックシート１とトップシート４とを接着し、トップシート４とバックシート１との間に吸収体２０を介装するように構成しても構わない。
【符号の説明】
【００６８】
１  バックシート
２  吸収性本体
２０  吸収体
３  糸ゴム（弾性部材）
４  トップシート
５、９、１１  ギャザーシート
６、７  不織布シート（ポケット形成部）
８、１０  インナーパッド
１００  紙おむつ
Ｆ  腹側部
Ｂ  背側部
Ｍ  股間部
Ｗ  腰周り開口部
Ｌ  脚周り開口部
Ｊ  接合端部
ＦＧ  自由端部
ＰＧ  立ち上がり部
ＢＧ、ＢＧ１、ＢＧ２  固定端部
ＧＧ  ギャザー部
ＧＰ  ポケット形成部
ＳＰ  ミシン目（切断容易部）
Ｒ１、Ｒ２  延出領域
ＭＴ  係合手段
Ｊ１、Ｊ３、Ｊ５、Ｊ６  接着端部
Ｊ２、Ｊ４、Ｊ７、Ｊ８  接着部分
ＰＴ１、ＰＴ２  形成部分
【図１】
2015009020.tif 000003
【図２】
2015009020.tif 000004
【図３】
2015009020.tif 000005
【図４】
2015009020.tif 000006
【図５】
2015009020.tif 000007
【図６】
2015009020.tif 000008
【図７】
2015009020.tif 000009
【図８】
2015009020.tif 000010
【図９】
2015009020.tif 000011
【図１０】
2015009020.tif 000012
【図１１】
2015009020.tif 000013
【図１２】
2015009020.tif 000014
【図１３】
2015009020.tif 000015